(57)【要約】【課題】コード表の参照や譜面を頻繁に捲る煩雑な作業を不要とし、かつ、邪魔になることのないようにコードの構成音を容易かつ安価に特定する。【解決手段】第１鍵盤表示領域２１、第２鍵盤表示領域２２、および第２音階名表示領域２４が上下方向に並んで設けられた表示盤本体２と、構成音表示領域３１、コードネーム表示領域３２および根音指定用孔３４が設けられたスライド盤３とを備え、指定用孔３４によっていずれかの文字を指定したときに領域２２の各白鍵表示のうちの指定した文字を根音とするコードの根音に対応する白鍵表示を露出させる複数の構成音表示用孔３５ａと、領域２２の各白鍵表示および各黒鍵表示のうちの指定した文字を根音とするコードの根音を除く各構成音に対応する表示を露出させる複数の構成音表示用孔３５ｂとが上下方向に対応付けた各コード毎に上下方向に並んで構成音表示領域３１に形成されている。【選択図】図１
2011100039.tif 000002
【特許請求の範囲】
【請求項１】
複数種類のコードのそれぞれの構成音を特定可能に表示するコード構成音表示盤であって、
表示盤本体と、当該表示盤本体に対して左右方向にスライド可能に重ねられたスライド盤とを備え、
前記表示盤本体は、ピアノ式鍵盤を模した鍵盤表示を記した第１鍵盤表示領域と、前記鍵盤表示における各白鍵に対応付けた複数の白鍵表示および当該鍵盤表示における各黒鍵に対応付けた複数の黒鍵表示を記した第２鍵盤表示領域と、前記各白鍵表示に対応する前記白鍵の音階名を前記各コードの根音を表す文字として当該各白鍵表示に対応付けた位置に記した根音表示領域とが当該表示盤本体の上下方向に並んで設けられ、
前記スライド盤は、前記各コードの種類を上下方向に対応付けると共に前記各白鍵表示および前記各黒鍵表示を前記表示盤本体における前記第２鍵盤表示領域に記したピッチで音程を左右方向に対応付けた構成音表示領域が設けられ、かつ、上下方向に対応付けた前記各コードのコードネームにおける根音を示す文字を除く文字を上下方向に並べて記したコードネーム表示領域が当該構成音表示領域の左方および右方の少なくとも一方の領域外に設けられると共に、前記表示盤本体に対して当該スライド盤を左右方向にスライドさせることで当該表示盤本体における前記根音表示領域の前記文字のうちのいずれかを前記コードの根音を表す文字として指定するための根音指定部が設けられ、
前記構成音表示領域には、前記根音指定部によっていずれかの前記文字を指定したときに前記表示盤本体における前記第２鍵盤表示領域の前記各白鍵表示のうちの当該指定した文字を前記根音とするコードの当該根音に対応する当該白鍵表示を露出させる複数の第１開口部と、当該第２鍵盤表示領域の当該各白鍵表示および当該各黒鍵表示のうちの当該指定した文字を当該根音とするコードの当該根音を除く各構成音に対応する表示を露出させる複数の第２開口部とが当該構成音表示領域に対して上下方向に対応付けた前記各コード毎に上下方向に並んで形成されているコード構成音表示盤。
【請求項２】
前記表示盤本体は、前記第１鍵盤表示領域の前記鍵盤表示に対応付けて音階名が記されている請求項１記載のコード構成音表示盤。
【請求項３】
前記表示盤本体および前記スライド盤の少なくとも一方には、当該表示盤本体に対する当該スライド盤のスライドを許容しつつ当該表示盤本体からの当該スライド盤の離脱を規制する離脱規制用係合部が設けられている請求項１または２記載のコード構成音表示盤。
【発明の詳細な説明】
【技術分野】
【０００１】
本発明は、複数種類のコードのそれぞれの構成音を特定するための技術に関するものである。
【背景技術】
【０００２】
ポピュラー音楽などの楽譜のなかには、旋律を表す音符に対応させて、その旋律に合致するコード（和音）を表す「Ｃ」や「Ｄｍ」等のコードネームを表す文字列が記されたものが存在する。この場合、コードの種類の数が多数であるため、すべてのコードについて、その構成音を記憶するのは困難となっている。したがって、この種の楽譜を利用する者（例えば、ピアノやオルガン等の鍵盤楽器で伴奏する伴奏者）は、各コードの構成音をコードネームに対応付けて一覧化したコード表を参照して、楽譜に記されているコードネームのコードの構成音を特定する煩雑な作業を強いられているという現状がある。
【０００３】
一方、特開２００７−３０４３０７号公報には、旋律を表す音符およびコードネームを示す文字列に対応させて、鍵盤楽器の鍵盤の平面形状（鍵盤を模した表示：以下、「鍵盤表示」ともいう）を譜面上に記すと共に、鍵盤表示の各白鍵および各黒鍵のうちのコードの構成音に対応する鍵の位置に星印等の鍵盤指定表示を付した演奏習得用教材が開示されている。この演奏習得用教材によれば、コードネームに対応するコードの構成音を記憶していなくても、譜面上の鍵盤表示に付された鍵盤指定表示に基づき、コードの構成音に対応する鍵の位置を視覚的に認識することが可能となっている。これにより、コード表を参照して構成音を特定する煩雑な作業を行うことなく、コードネームに対応するコードの構成音の鍵を特定して鍵盤楽器を演奏することが可能となる。
【０００４】
また、特開平５−７３０５９号公報には、所望のコードを指定することにより、そのコードの構成音に対応する鍵の上方に配置されているＬＥＤが点灯するように構成されたコード辞書装置が開示されている。このコード辞書装置では、まず、鍵盤部の各鍵のうちから１鍵だけを選択して操作することで、構成音を特定したいコードの根音（ルート）を指定する。次いで、テンキーを操作することによって所望のコードの根音以外の部分（コード種）を指定する。これにより、所望のコードの構成音に対応する鍵のＬＥＤが点灯する。したがって、このコード辞書装置によれば、コード表を参照して構成音を特定する煩雑な作業を行うことなく、コードネームに対応するコードの構成音の鍵盤を特定して鍵盤楽器を演奏することが可能となる。
【先行技術文献】
【特許文献】
【０００５】
【特許文献１】特開２００７−３０４３０７号公報（第４−９頁、第１−５図）
【特許文献２】特開平５−７３０５９号公報（第３−１０頁、第１−１７図）
【発明の概要】
【発明が解決しようとする課題】
【０００６】
ところが、従来の演奏習得用教材やコード辞書装置には、以下の解決すべき問題点が存在する。具体的には、従来の演奏習得用教材では、音符やコードネームと共に鍵盤表示に鍵盤指定表示を付して譜面上に記すことによって、コードの構成音に対応する鍵の位置を特定させる構成が採用されている。しかしながら、従来の演奏習得用教材では、この演奏習得用教材の発明に係る楽譜を使用するときには、コード表を参照することなく、コードの構成音に対応する鍵の位置を特定することができるものの、鍵盤表示および鍵盤指定表示が記されていない通常の楽譜を使用するときには、依然として、コード表を参照して構成音を特定する煩雑な作業が必要になるという問題点がある。また、従来の演奏習得用教材では、各コード毎に鍵盤表示および鍵盤指定表示をそれぞれ記さなくてはならないため、この鍵盤表示および鍵盤指定表示によって譜面上の広い面積が専有されて音符を記すことができる領域が狭くなる結果、１曲分の音符が複数ページに跨って記されることとなる。このため、演奏中にページを捲る作業を頻繁に行わなくてはならないという問題点もある。
【０００７】
一方、従来のコード辞書装置では、鍵盤表示および鍵盤指定表示が記されていない通常の楽譜を使用して演奏するときであっても、所望のコードを指定するだけで、コードの構成音の鍵盤を特定して鍵盤楽器を演奏することが可能となっている。しかしながら、従来のコード辞書装置では、その構成が比較的複雑であることに起因して製造コストの低減が困難となっている。このため、通常のピアノやオルガン等の鍵盤楽器を既に所有している者にとっては、コードの構成音を特定するためだけにこのコード辞書装置を別途購入するのが大きな負担になるという問題点がある。また、従来のコード辞書装置では、このコード辞書装置以外の通常の鍵盤楽器（例えば、既存のピアノや、既存のオルガン等）の演奏に際してコードの構成音を特定したいときに、演奏する鍵盤楽器とは別個にコード辞書装置を手元に用意しておく必要がある。このため、このコード装置以外の通常の鍵盤楽器の演奏時には、使用しないコード辞書装置が邪魔になるという問題点もある。
【０００８】
本発明は、かかる問題点に鑑みてなされたものであり、コード表の参照や譜面を頻繁に捲る煩雑な作業を不要とし、かつ、不使用時には邪魔になることのないように、所望のコードの構成音を容易かつ安価に特定し得るコード構成音表示盤を提供することを主目的とする。
【課題を解決するための手段】
【０００９】
上記目的を達成すべく請求項１記載のコード構成音表示盤は、複数種類のコードのそれぞれの構成音を特定可能に表示するコード構成音表示盤であって、表示盤本体と、当該表示盤本体に対して左右方向にスライド可能に重ねられたスライド盤とを備え、前記表示盤本体は、ピアノ式鍵盤を模した鍵盤表示を記した第１鍵盤表示領域と、前記鍵盤表示における各白鍵に対応付けた複数の白鍵表示および当該鍵盤表示における各黒鍵に対応付けた複数の黒鍵表示を記した第２鍵盤表示領域と、前記各白鍵表示に対応する前記白鍵の音階名を前記各コードの根音を表す文字として当該各白鍵表示に対応付けた位置に記した根音表示領域とが当該表示盤本体の上下方向に並んで設けられ、前記スライド盤は、前記各コードの種類を上下方向に対応付けると共に前記各白鍵表示および前記各黒鍵表示を前記表示盤本体における前記第２鍵盤表示領域に記したピッチで音程を左右方向に対応付けた構成音表示領域が設けられ、かつ、上下方向に対応付けた前記各コードのコードネームにおける根音を示す文字を除く文字を上下方向に並べて記したコードネーム表示領域が当該構成音表示領域の左方および右方の少なくとも一方の領域外に設けられると共に、前記表示盤本体に対して当該スライド盤を左右方向にスライドさせることで当該表示盤本体における前記根音表示領域の前記文字のうちのいずれかを前記コードの根音を表す文字として指定するための根音指定部が設けられ、前記構成音表示領域には、前記根音指定部によっていずれかの前記文字を指定したときに前記表示盤本体における前記第２鍵盤表示領域の前記各白鍵表示のうちの当該指定した文字を前記根音とするコードの当該根音に対応する当該白鍵表示を露出させる複数の第１開口部と、当該第２鍵盤表示領域の当該各白鍵表示および当該各黒鍵表示のうちの当該指定した文字を当該根音とするコードの当該根音を除く各構成音に対応する表示を露出させる複数の第２開口部とが当該構成音表示領域に対して上下方向に対応付けた前記各コード毎に上下方向に並んで形成されている。
【００１０】
また、請求項２記載のコード構成音表示盤は、請求項１記載のコード構成音表示盤において、前記表示盤本体は、前記第１鍵盤表示領域の前記鍵盤表示に対応付けて音階名が記されている。
【００１１】
さらに、請求項３記載のコード構成音表示盤は、請求項１または２記載のコード構成音表示盤において、前記表示盤本体および前記スライド盤の少なくとも一方には、当該表示盤本体に対する当該スライド盤のスライドを許容しつつ当該表示盤本体からの当該スライド盤の離脱を規制する離脱規制用係合部が設けられている。
【発明の効果】
【００１２】
請求項１記載のコード構成音表示盤では、ピアノ式鍵盤を模した鍵盤表示を記した第１鍵盤表示領域と、鍵盤表示における各白鍵に対応付けた複数の白鍵表示および鍵盤表示における各黒鍵に対応付けた複数の黒鍵表示を記した第２鍵盤表示領域と、各白鍵表示に対応する白鍵の音階名を各コードの根音を表す文字として各白鍵表示に対応付けた位置に記した根音表示領域とを表示盤本体の上下方向に並べて設けた表示盤本体と、各コードの種類を上下方向に対応付けると共に各白鍵表示および各黒鍵表示を表示盤本体における第２鍵盤表示領域に記したピッチで音程を左右方向に対応付けた構成音表示領域を設け、かつ、上下方向に対応付けた各コードのコードネームにおける根音を示す文字を除く文字を上下方向に並べて記したコードネーム表示領域を構成音表示領域の左方および右方の少なくとも一方の領域外に設けると共に、表示盤本体に対して左右方向にスライドさせることで表示盤本体における根音表示領域の文字のうちのいずれかをコードの根音を表す文字として指定するための根音指定部を設けて、表示盤本体に対してスライド可能に表示盤本体上に重ねたスライド盤とを備え、根音指定部によっていずれかの文字を指定したときに表示盤本体における第２鍵盤表示領域の各白鍵表示のうちの指定した文字を根音とするコードの根音に対応する白鍵表示を露出させる複数の第１開口部と、第２鍵盤表示領域の各白鍵表示および各黒鍵表示のうちの指定した文字を根音とするコードの根音を除く各構成音に対応する表示を露出させる複数の第２開口部とを上下方向に対応付けた各コード毎に上下方向に並べて構成音表示領域に形成して、複数種類のコードのそれぞれの構成音を表示可能に構成されている。
【００１３】
したがって、請求項１記載のコード構成音表示盤によれば、コード表を参照してコードの構成音を特定する煩雑な作業を行うことなく、表示盤本体に対してスライド盤をスライドさせて所望のコードの根音を示す文字に根音指定部を合わせるだけで、その文字の音程を根音とする各種コードの構成音が構成音表示領域に表示されるため、第１鍵盤表示領域の鍵盤表示と対応して参照することで、そのコードの構成音を容易に特定することができる。このため、このコード構成音表示盤によれば、従来の演奏習得用教材やコード辞書装置とは異なり、鍵盤指定表示が付された鍵盤表示が記されていない既存の一般的な楽譜を用いた演奏時や、コード辞書装置の発明に係る鍵盤楽器以外の鍵盤楽器の演奏時であっても、所望のコードの構成音を特定することができる。また、従来の演奏習得用教材とは異なり、鍵盤表示および鍵盤指定表示によって譜面上の広い面積が専有されることがないため、１曲分の音符が少数ページに記される結果、演奏中にページを捲る作業の頻度を十分に低減することができる。さらに、従来のコード辞書装置とは異なり、構成音を特定するための高価な装置を別途購入する必要がないため、経済的負担を十分に低減することができるだけでなく、楽譜と並べて譜面台に載置できる程度に十分に小さく構成することができるため、演奏中には使用することのない構成音特定用の道具が邪魔になる事態を回避することができる。
【００１４】
請求項２記載のコード構成音表示盤によれば、第１鍵盤表示領域の鍵盤表示に対応付けて音階名を記したことにより、第１鍵盤表示領域の鍵盤表示（白鍵表示や黒鍵表示）だけに基づいてコードの構成音や、その構成音に対応する鍵の位置を特定する構成と比較して、鍵盤表示に対応付けて記された音階名に基づき、コードの構成音や鍵の位置を一層容易に特定することができる。
【００１５】
請求項３記載のコード構成音表示盤によれば、表示盤本体に対するスライド盤のスライドを許容しつつ表示盤本体からのスライド盤の離脱を規制する離脱規制用係合部を表示盤本体およびスライド盤の少なくとも一方に設けたことにより、例えば楽譜などと並べて譜面台に載置して使用する際に、表示盤本体に対してスライド盤を一体化した状態を維持することができるため、コードの構成音を特定しようとしたときに、表示盤本体に対するスライド盤の上下方向の位置合わせを行うことなく、表示盤本体に対してスライド盤を左右方向にスライドさせるだけで所望のコードの構成音を構成音表示領域に表示させることができる。
【図面の簡単な説明】
【００１６】
【図１】コード構成音表示盤１の正面図である。
【図２】コード構成音表示盤１における表示盤本体２単体の正面図である。
【図３】コード構成音表示盤１の断面図である。
【図４】コード構成音表示盤１におけるスライド盤３単体の正面図である。
【図５】根音として「Ｅ」を指定した状態のコード構成音表示盤１の正面図である。
【図６】根音として「Ｂ」を指定した状態のコード構成音表示盤１の正面図である。
【図７】コード構成音表示盤１Ａの正面図である。
【図８】コード構成音表示盤１Ｂの正面図である。
【図９】コード構成音表示盤１Ｃの正面図である。
【図１０】コード構成音表示盤１Ｄの断面図である。
【発明を実施するための形態】
【００１７】
以下、コード構成音表示盤の実施の形態について、添付図面を参照して説明する。
【００１８】
最初に、コード構成音表示盤１の構成について、図面を参照して説明する。
【００１９】
図１に示すコード構成音表示盤１は、各種コードの構成音を特定可能に樹脂板や厚紙などの板体で製作された表示盤であって、表示盤本体２およびスライド盤３を備えて構成されている。表示盤本体２は、図２に示すように、第１鍵盤表示領域２１および第２鍵盤表示領域２２が上下方向に並んで設けられると共に、第１鍵盤表示領域２１および第２鍵盤表示領域２２の間に第１音階名表示領域２３が設けられ、かつ、第２鍵盤表示領域２２の上方に第２音階名表示領域２４が設けられて構成されている。第１鍵盤表示領域２１には、ピアノ式鍵盤を模して、複数の白鍵表示２１ａおよび複数の黒鍵表示２１ｂからなる鍵盤表示が記されている。
【００２０】
また、第２鍵盤表示領域２２には、第１鍵盤表示領域２１における鍵盤表示の各白鍵表示２１ａに対応付けた複数の白鍵表示２２ａと、第１鍵盤表示領域２１における鍵盤表示の各黒鍵表示２１ｂに対応付けた複数の黒鍵表示２２ｂとが記されている。この場合、このコード構成音表示盤１では、第１鍵盤表示領域２１におけるＣ音の白鍵表示２１ａの左端部から、そのＣ音の１オクターブ上（完全８度上）のＣ音の白鍵表示２１ａにおける左端部までの間（同図に矢印Ｌで示す範囲）を１２等分して、表示盤本体２の上下方向に長い複数の帯状領域を設け、白鍵表示２１ａの上方に位置する帯状領域に白鍵表示２２ａを記すと共に、黒鍵表示２１ｂの上方に位置する帯状領域に黒鍵表示２２ｂを記すことで、各白鍵表示２１ａに各白鍵表示２２ａを対応付け、かつ各黒鍵表示２１ｂに各黒鍵表示２２ｂを対応付けている。
【００２１】
さらに、第１音階名表示領域２３には、第１鍵盤表示領域２１に記された鍵盤表示に対応付けて音階名が記されている。この場合、このコード構成音表示盤１では、第１鍵盤表示領域２１における鍵盤表示の各白鍵表示２１ａの上方に、その白鍵表示２１ａに対応する白鍵の音階名を表す「Ｃ」、「Ｄ」、「Ｅ」、「Ｆ」、「Ｇ」、「Ａ」および「Ｂ」の７種類の文字が記されている。なお、第１鍵盤表示領域２１における各黒鍵表示２１ｂに対応付けて「Ｄ♭（Ｃ♯）」等の文字を第１音階名表示領域２３に記すこともできる。また、第２音階名表示領域２４は、「根音表示領域」に相当し、第２鍵盤表示領域２２の各白鍵表示２２ａに対応付けて各白鍵表示２２ａに対応する白鍵の音階名を表す「Ｃ」、「Ｄ」、「Ｅ」、「Ｆ」、「Ｇ」、「Ａ」および「Ｂ」の７種類の文字が記されている。この場合、このコード構成音表示盤１では、各白鍵表示２２ａに対応付ける音階名が各白鍵表示２２ａおよび各黒鍵表示２２ｂを記したピッチ（上記の各帯状領域を設けたピッチ）の例えば２つ分だけ左方にずれて（オフセットして）記されている。
【００２２】
また、図３に示すように、このコード構成音表示盤１では、一例として、表示盤本体２が板体１１ａ〜１１ｃの３枚を貼り合わせて構成されて、板体１１ａと板体１１ｃとの間に、表示盤本体２に対するスライド盤３のスライドを許容しつつ、表示盤本体２からのスライド盤３の離脱を規制するための離脱規制用係合溝１０（「離脱規制用係合部」の一例）が形成されている（「表示盤本体およびスライド盤の少なくとも一方」が「表示盤本体」である構成の例）。この場合、このコード構成音表示盤１では、上記の第１鍵盤表示領域２１および第１音階名表示領域２３が板体１１ｃの表面に設けられると共に、第２鍵盤表示領域２２および第２音階名表示領域２４が板体１１ａの表面に設けられて構成されている。
【００２３】
一方、スライド盤３は、表示盤本体２に対して左右方向にスライド可能に表示盤本体２上に重ねられる板体であって、黒色および白色以外の（白鍵表示２２ａや黒鍵表示２１ｂを記した色以外の）任意の不透明色を有するように平板状に形成されている。このスライド盤３は、図４に示すように、構成音表示領域３１、コードネーム表示領域３２および音程表示領域３３が設けられると共に、表示盤本体２に対してスライド盤３を左右方向にスライドさせることで表示盤本体２における第２音階名表示領域２４の各文字（根音としての音階名を示す文字）のうちのいずれかをコードの根音として指定するための根音指定用孔３４（「根音指定部」の一例が設けられている。
【００２４】
構成音表示領域３１は、このコード構成音表示盤１によって特定するコードの構成音を表示する領域であって、スライド盤３を表示盤本体２に重ねた状態において表示盤本体２の第２鍵盤表示領域２２に重なる位置に設けられている。この構成音表示領域３１は、このコード構成音表示盤１によって構成音を特定可能なコードの種類が上下方向に対応付けられると共に、各白鍵表示２２ａおよび各黒鍵表示２２ｂを表示盤本体２における第２鍵盤表示領域２２に記したピッチで音程が左右方向に対応付けられている。
【００２５】
また、構成音表示領域３１には、根音指定用孔３４によって表示盤本体２における第２音階名表示領域２４に記された各文字のうちのいずれかを指定したときに、第２鍵盤表示領域２２における各白鍵表示２２ａのうちの指定した文字を根音とする各コードの根音に対応する白鍵表示２２ａを露出させる複数の構成音表示用孔３５ａ（「第１開口部」の一例）が上下方向に並んで各コード毎に形成されている。さらに、構成音表示領域３１には、根音指定用孔３４によって第２音階名表示領域２４に記された各文字のうちのいずれかを指定したときに、第２鍵盤表示領域２２における各白鍵表示２２ａおよび各黒鍵表示２２ｂのうちの指定した文字を根音とする各コードの根音を除く各構成音に対応する表示を露出させる複数の構成音表示用孔３５ｂ（「第２開口部」の一例）が各構成音の根音に対する音程に応じた長さだけ各構成音表示用孔３５ａの右方に各コード毎に形成されている。
【００２６】
コードネーム表示領域３２には、構成音表示領域３１の左方の領域外に設けられると共に（「構成音表示領域の左方および右方の少なくとも一方の領域外」が「左方の領域外だけ」の構成の例であり、構成音表示領域３１の右方の領域外に設けることもできる。）、構成音表示領域３１において上下方向に対応付けた各コードのコードネームにおける根音を示す文字を除く文字（この例では、「ｍ」、「ｍ（♭５）」および「ａｕｇ」等）が上下方向に並べて記されている。また、コードネーム表示領域３２には、後述するように、根音指定用孔３４内に表示される（根音指定用孔３４を介して目視される）文字をコードネームの根音を示す文字として当て嵌めてコードネームとして読み取るための四角形（以下、「□」と表す）が上記の「ｍ」や「ｍ（♭５）」等の文字の左方に破線で記されている。
【００２７】
音程表示領域３３には、構成音表示領域３１において左右方向に対応付けた音程を示す文字（この例では、「完全１度」、「短２度」および「長２度」等）が左右方向に並べて記されている。なお、構成音表示領域３１の上記の各構成音表示用孔３５ａは、音程表示領域３３における「完全１度」に対応する位置に開口され、各構成音表示用孔３５ｂは、「短２度」から「長９度」までの範囲（この例では、「短２度」から「長７度」、および「長９度」に対応する位置）に開口されている。
【００２８】
この場合、このスライド盤３では、構成音表示領域３１における「完全１度」の音程の位置（各構成音表示用孔３５ａが形成されている位置：音程表示領域３３に「完全１度」と記されている位置）に対して１度分だけ（半音２つ分だけ）左方にオフセットして根音指定用孔３４が開口されている。このため、前述したように、表示盤本体２の第２音階名表示領域２４には、第２鍵盤表示領域２２における各白鍵表示２２ａに対応付ける音階名を各白鍵表示２２ａおよび各黒鍵表示２２ｂを記したピッチ（上記の各帯状領域を設けたピッチ）の２つ分だけ（すなわち、１度分だけ）左方にずれて（オフセットされて）記されている。
【００２９】
次に、コード構成音表示盤１の使用方法について、図面を参照して説明する。
【００３０】
このコード構成音表示盤１によって所定のコードの構成音を特定する際には、図３に示すように、まず、スライド盤３の下端部を表示盤本体２の離脱規制用係合溝１０内に嵌入するようにして表示盤本体２に対してスライド盤３を重ねて配置する。これにより、表示盤本体２からスライド盤３が離脱することなく、表示盤本体２に対するスライド盤３の左右方向（同図における紙面奥行き方向）へのスライドが許容される状態となる。この状態において、一例として、楽譜と共にコード構成音表示盤１を譜面台に載置する。
【００３１】
次いで、例えば、「Ｅｍ」とのコードネームのコードの構成音を特定する際には、図５に示すように、スライド盤３の根音指定用孔３４内に、表示盤本体２の第２音階名表示領域２４における各文字のうちの「Ｅ」との文字が位置するように表示盤本体２に対してスライド盤３をスライドさせる（構成音を特定したいコードの根音を指定する作業）。この場合、スライド盤３における構成音表示領域３１の「□ｍ」のコードに対応する位置には、根音を示す構成音表示用孔３５ａが「完全１度」の位置に開口されると共に、根音を除く構成音を示す構成音表示用孔３５ｂが「短３度」および「完全５度」の位置に開口されている。
【００３２】
したがって、スライド盤３の根音指定用孔３４を表示盤本体２における第２音階名表示領域２４の「Ｅ」に合わせた状態においては、図５に示すように、「完全１度」の位置に開口された構成音表示用孔３５ａを介して表示盤本体２における第２鍵盤表示領域２２のＥ音に対応する白鍵表示２２ａが露出し、この構成音表示用孔３５ａの位置が白色となって恰も白色の丸形マーク（以下、「○」と表す）が表示されたかのような状態となる。また、「短３度」の位置に開口された構成音表示用孔３５ｂを介して表示盤本体２における第２鍵盤表示領域２２のＧ音に対応する白鍵表示２２ａが露出し、この構成音表示用孔３５ｂの位置が白色となって恰も「○」が表示されたかのような状態となる。同様にして、「完全５度」の位置に開口された構成音表示用孔３５ｂを介して表示盤本体２における第２鍵盤表示領域２２のＢ音に対応する白鍵表示２２ａが露出し、この構成音表示用孔３５ｂの位置が白色となって恰も「○」が表示されたかのような状態となる。
【００３３】
これにより、このコード構成音表示盤１の利用者は、構成音表示領域３１の上記の構成音表示用孔３５ａ，３５ｂ，３５ｂの位置に見える３つの「○」により、「Ｅｍ」とのコードネームのコードの構成音が鍵盤楽器における白鍵の音であるのを直感的に認識する。また、３つの「○」の位置から視線を下方に移動させて第１音階名表示領域２３や第１鍵盤表示領域２１を参照することで、この３つの「○」がＥ音、Ｇ音およびＢ音であることを認識すると共に、Ｅ音、Ｇ音およびＢ音の３音の鍵の位置を直感的に認識する。
【００３４】
一方、例えば、「Ｅｍ６」とのコードネームのコードの構成音を特定する際には、図５に示すように、スライド盤３の根音指定用孔３４内に、表示盤本体２の第２音階名表示領域２４における各文字のうちの「Ｅ」との文字が表示された状態（根音としてＥ音が指定された状態）を維持しつつ、構成音表示領域３１の「□ｍ６」のコードに対応する位置の構成音表示用孔３５ａ，３５ｂを参照する。この場合、スライド盤３における構成音表示領域３１の「□ｍ６」のコードに対応する位置には、根音を示す構成音表示用孔３５ａが「完全１度」の位置に開口されると共に、根音を除く構成音を示す構成音表示用孔３５ｂが「短３度」、「完全５度」および「長６度」の位置に開口されている。
【００３５】
したがって、スライド盤３の根音指定用孔３４を表示盤本体２における第２音階名表示領域２４の「Ｅ」に合わせた状態においては、図５に示すように、「完全１度」の位置に開口された構成音表示用孔３５ａを介して表示盤本体２における第２鍵盤表示領域２２のＥ音に対応する白鍵表示２２ａが露出し、この構成音表示用孔３５ａの位置が白色となりって恰も「○」が表示されたかのような状態となる。また、「短３度」の位置および「完全５度」の位置に開口された構成音表示用孔３５ｂ，３５ｂを介して表示盤本体２における第２鍵盤表示領域２２のＧ音およびＢ音に対応する白鍵表示２２ａ，２２ａが露出し、これらの構成音表示用孔３５ｂ，３５ｂの位置が白色となって恰も「○」がそれぞれ表示されたかのような状態となる。さらに、「長６度」の位置に開口された構成音表示用孔３５ｂを介して表示盤本体２における第２鍵盤表示領域２２のＤ♭（Ｃ♯）音に対応する黒鍵表示２２ｂが露出し、この構成音表示用孔３５ｂの位置が黒色となって恰も黒色の丸形マーク（以下、「●」と表す）が表示されたかのような状態となる。
【００３６】
これにより、このコード構成音表示盤１の利用者は、構成音表示領域３１の上記の構成音表示用孔３５ａ，３５ｂ，３５ｂ，３５ｂの位置に見える３つの「○」および１つの「●」により、「Ｅｍ６」とのコードネームのコードの構成音が鍵盤楽器における白鍵の音と黒鍵の音との組み合せであるのを直感的に認識する。また、３つの「○」および１つの「●」の位置から視線を下方に移動させて第１音階名表示領域２３や第１鍵盤表示領域２１を参照することで、３つの「○」がＥ音、Ｇ音およびＢ音であり、１つの「●」がＤ♭（Ｃ♯）音であることを認識すると共に、Ｅ音、Ｇ音、Ｂ音およびＤ♭（Ｃ♯）音の４音の鍵の位置を直感的に認識する。
【００３７】
また、例えば、「Ｂｍ７」とのコードネームのコードの構成音を特定する際には、図６に示すように、スライド盤３の根音指定用孔３４内に、表示盤本体２の第２音階名表示領域２４における各文字のうちの「Ｂ」との文字が位置するように表示盤本体２に対してスライド盤３をスライドさせる（構成音を特定したいコードの根音を指定する作業）。この場合、スライド盤３における構成音表示領域３１の「□ｍ７」のコードに対応する位置には、根音を示す構成音表示用孔３５ａが「完全１度」の位置に開口されると共に、根音を除く構成音を示す構成音表示用孔３５ｂが「短３度」、「完全５度」および「短７度」の位置に開口されている。
【００３８】
したがって、スライド盤３の根音指定用孔３４を表示盤本体２における第２音階名表示領域２４の「Ｂ」に合わせた状態においては、図６に示すように、「完全１度」の位置に開口された構成音表示用孔３５ａを介して表示盤本体２における第２鍵盤表示領域２２のＢ音に対応する白鍵表示２２ａが露出し、この構成音表示用孔３５ａの位置が白色となって恰も「○」が表示されたかのような状態となる。また、「短３度」の位置に開口された構成音表示用孔３５ｂを介して表示盤本体２における第２鍵盤表示領域２２のＤ音に対応する白鍵表示２２ａが露出し、この構成音表示用孔３５ｂの位置が白色となって恰も「○」が表示されたかのような状態となる。さらに、「完全５度」の位置に開口された構成音表示用孔３５ｂを介して表示盤本体２における第２鍵盤表示領域２２のＧ♭（Ｆ♯）音に対応する黒鍵表示２２ｂが露出し、この構成音表示用孔３５ｂの位置が黒色となって恰も「●」が表示されたかのような状態となる。また、「短７度」の位置に開口された構成音表示用孔３５ｂを介して表示盤本体２における第２鍵盤表示領域２２のＡ音に対応する白鍵表示２２ａが露出し、この構成音表示用孔３５ｂの位置が白色となって恰も「○」が表示されたかのような状態となる。
【００３９】
これにより、このコード構成音表示盤１の利用者は、構成音表示領域３１の上記の構成音表示用孔３５ａ，３５ｂ，３５ｂ，３５ｂの位置に見える３つの「○」および１つの「●」により、「Ｂｍ７」とのコードネームのコードの構成音が鍵盤楽器における白鍵の音と黒鍵の音との組み合せであるのを直感的に認識する。また、３つの「○」および１つの「●」の位置から視線を下方に移動させて第１音階名表示領域２３や第１鍵盤表示領域２１を参照することで、この３つの「○」および１つの「●」がＢ音、Ｄ音、Ｇ♭（Ｆ♯）音およびＡ音であることを認識すると共に、Ｂ音、Ｄ音、Ｇ♭（Ｆ♯）音およびＡ音の４音の鍵の位置を直感的に認識する。
【００４０】
このように、このコード構成音表示盤１では、ピアノ式鍵盤を模した鍵盤表示を記した第１鍵盤表示領域２１と、鍵盤表示における各白鍵（白鍵表示２１ａ）に対応付けた複数の白鍵表示２２ａおよび鍵盤表示における各黒鍵（黒鍵表示２１ｂ）に対応付けた複数の黒鍵表示２２ｂを記した第２鍵盤表示領域２２と、各白鍵表示２２ａに対応する白鍵の音階名を各コードの根音を表す文字として各白鍵表示２２ａに対応付けた位置に記した第２音階名表示領域２４とを表示盤本体２の上下方向に並べて設けた表示盤本体２と、各コードの種類を上下方向に対応付けると共に各白鍵表示２２ａおよび各黒鍵表示２２ｂを表示盤本体２における第２鍵盤表示領域２２に記したピッチで音程を左右方向に対応付けた構成音表示領域３１を設け、かつ、上下方向に対応付けた各コードのコードネームにおける根音を示す文字を除く文字を上下方向に並べて記したコードネーム表示領域３２を構成音表示領域３１の左方の領域外に設けると共に、表示盤本体２に対して左右方向にスライドさせることで表示盤本体２における第２音階名表示領域２４の文字のうちのいずれかをコードの根音を表す文字として指定するための根音指定用孔３４を設けて、表示盤本体２に対してスライド可能に表示盤本体２上に重ねたスライド盤３とを備え、根音指定用孔３４によっていずれかの文字を指定したときに表示盤本体２における第２鍵盤表示領域２２の各白鍵表示２２ａのうちの指定した文字を根音とするコードの根音に対応する白鍵表示２２ａを露出させる複数の構成音表示用孔３５ａと、第２鍵盤表示領域２２の各白鍵表示２２ａおよび各黒鍵表示２２ｂのうちの指定した文字を根音とするコードの根音を除く各構成音に対応する表示を露出させる複数の構成音表示用孔３５ｂとを上下方向に対応付けた各コード毎に上下方向に並べて構成音表示領域３１に形成して、複数種類のコードのそれぞれの構成音を表示可能に構成されている。
【００４１】
したがって、このコード構成音表示盤１によれば、コード表を参照してコードの構成音を特定する煩雑な作業を行うことなく、表示盤本体２に対してスライド盤３をスライドさせて所望のコードの根音を示す文字に根音指定用孔３４を合わせるだけで、その文字の音程を根音とする各種コードの構成音が構成音表示領域３１に表示されるため、第１鍵盤表示領域２１の鍵盤表示と対応して参照することで、そのコードの構成音を容易に特定することができる。このため、このコード構成音表示盤１によれば、従来の演奏習得用教材やコード辞書装置とは異なり、鍵盤指定表示が付された鍵盤表示が記されていない既存の一般的な楽譜を用いた演奏時や、コード辞書装置の発明に係る鍵盤楽器以外の鍵盤楽器の演奏時であっても、所望のコードの構成音を特定することができる。また、従来の演奏習得用教材とは異なり、鍵盤表示および鍵盤指定表示によって譜面上の広い面積が専有されることがないため、１曲分の音符が少数ページに記される結果、演奏中にページを捲る作業の頻度を十分に低減することができる。さらに、従来のコード辞書装置とは異なり、構成音を特定するための高価な装置を別途購入する必要がないため、経済的負担を十分に低減することができるだけでなく、楽譜と並べて譜面台に載置できる程度に十分に小さく構成することができるため、演奏中には使用することのない構成音特定用の道具が邪魔になる事態を回避することができる。
【００４２】
また、このコード構成音表示盤１によれば、第１鍵盤表示領域２１の鍵盤表示（各白鍵表示２１ａ）に対応付けて第１音階名表示領域２３に音階名を記したことにより、第１鍵盤表示領域２１の鍵盤表示（白鍵表示２１ａや黒鍵表示２１ｂ）だけに基づいてコードの構成音や、その構成音に対応する鍵の位置を特定する構成と比較して、鍵盤表示に対応付けて記された音階名に基づき、コードの構成音や鍵の位置を一層容易に特定することができる。
【００４３】
さらに、このコード構成音表示盤１によれば、表示盤本体２に対するスライド盤３のスライドを許容しつつ表示盤本体２からのスライド盤３の離脱を規制する離脱規制用係合溝１０を表示盤本体２に設けたことにより、例えば楽譜などと並べて譜面台に載置して使用する際に、表示盤本体２に対してスライド盤３を一体化した状態を維持することができるため、コードの構成音を特定しようとしたときに、表示盤本体２に対するスライド盤３の上下方向の位置合わせを行うことなく、表示盤本体２に対してスライド盤３を左右方向にスライドさせるだけで所望のコードの構成音を構成音表示領域３１に表示させることができる。
【００４４】
なお、コード構成音表示盤の構成は、上記の構成に限定されない。例えば、根音指定部の一例として根音指定用孔３４をスライド盤３に設けたコード構成音表示盤１を例に挙げて説明したが、根音指定部の構成は、根音指定用孔３４のような「孔」に限定されない。例えば、図７に示すコード構成音表示盤１Ａにおけるスライド盤３ａのように、表示盤本体２における第２音階名表示領域２４に記された各文字（根音を示す文字）のうちから所望の文字を指定するための根音指定用切欠き部３４ａを根音指定部として設けることもできる。なお、このコード構成音表示盤１Ａ、および後に説明するコード構成音表示盤１Ｂ〜１Ｄにおいて前述したコード構成音表示盤１と同様の機能を有する構成要素については、同一の符号を付して重複する説明を省略する。
【００４５】
また、図８に示すコード構成音表示盤１Ｂにおけるスライド盤３ｂのように、表示盤本体２ｂにおける第２音階名表示領域２４に記された各文字（根音を示す文字）のうちから所望の文字を指定するための根音指定マーク３４ｂを根音指定部として設けることもできる。この場合、このコード構成音表示盤１Ｂにおける表示盤本体２ｂは、前述したコード構成音表示盤１における表示盤本体２よりも第２音階名表示領域２４が上方に記されている点を除き、表示盤本体２と同様に構成されている。
【００４６】
さらに、図９に示すコード構成音表示盤１Ｃにおけるスライド盤３ｃのように、表示盤本体２ｃにおける第１音階名表示領域２３に記された各文字（根音を示す文字）のうちから所望の文字を指定するための根音指定マーク３４ｃを根音指定部として設けることもできる。この場合、このコード構成音表示盤１Ｃにおける表示盤本体２ｃは、第２音階名表示領域２４が設けられていない点を除き、前述したコード構成音表示盤１における表示盤本体２と同様に構成されている。なお、この表示盤本体２ｃでは、第１音階名表示領域２３が「根音表示領域」に相当する。また、このコード構成音表示盤１Ｃにおけるスライド盤３ｃは、前述したコード構成音表示盤１におけるスライド盤３よりも構成音表示領域３１、コードネーム表示領域３２および音程表示領域３３等が上方に設けられて上記の根音指定マーク３４ｃが設けられている点を除き、スライド盤３と同様に構成されている。
【００４７】
さらに、コード構成音表示盤１のように根音指定用孔３４を根音指定部として設ける構成、コード構成音表示盤１Ａのように根音指定用切欠き部３４ａを根音指定部として設ける構成、およびコード構成音表示盤１Ｂのように根音指定マーク３４ｂを根音指定部として設ける構成のうちのいずれかと、コード構成音表示盤１Ｃのように根音指定マーク３４ｃを根音指定部として設ける構成とを組み合せて上下２箇所に根音指定部を設けることもできる（図示せず）。これらのような根音指定部の構成を採用した場合においても、前述したコード構成音表示盤１と同様の効果を奏することができる。
【００４８】
また、離脱規制用係合部の一例として離脱規制用係合溝１０を表示盤本体２に設けたコード構成音表示盤１を例に挙げて説明したが、離脱規制用係合部の構成はこれに限定されない。例えば、図１０に示すコード構成音表示盤１Ｄのように、表示盤本体２ｄの上端部を嵌入可能な離脱規制用係合溝１５を離脱規制用係合部としてスライド盤３ｄに設けることができる（「表示盤本体およびスライド盤の少なくとも一方」が「スライド盤」である構成の例）。なお、コード構成音表示盤１Ｄの表示盤本体２ｄは、離脱規制用係合溝１０が設けられていない点を除き、前述したコード構成音表示盤１の表示盤本体２と同様にして、第１鍵盤表示領域２１、第２鍵盤表示領域２２、第１音階名表示領域２３および第２音階名表示領域２４が設けられている。また、スライド盤３ｄは、離脱規制用係合溝１５が設けられている点を除き、前述したコード構成音表示盤１のスライド盤３と同様にして、構成音表示領域３１、コードネーム表示領域３２、音程表示領域３３および根音指定用孔３４（または、根音指定用切欠き部３４ａ、根音指定マーク３４ｂ）が設けられると共に、構成音表示用孔３５ａ，３５ｂが形成されている。この場合、スライド盤３ｄは、コード構成音表示盤１のスライド盤３と同様に構成された板体１６ａの裏面側に板体１６ｂ，１６ｃを貼り合わせることによって離脱規制用係合溝１５が形成されている。
【００４９】
さらに、一例として、コード構成音表示盤１における表示盤本体２と、コード構成音表示盤１Ｄにおけるスライド盤３ｄとを組み合せて、「表示盤本体およびスライド盤の双方」に離脱規制用係合部１０，１５を設ける構成を採用することもできるし、表示盤本体の上下２箇所にスライド盤の上端部および下端部をそれぞれ嵌入可能な離脱規制用係合溝を設けて離脱規制用係合部とする構成を採用することもできる（共に図示せず）。このような構成を採用した場合においても、前述したコード構成音表示盤１と同様の効果を奏することができる。加えて、鍵盤楽器における白鍵に対応する部位を白色で記すと共に、黒鍵に対応する部位を黒色で記した例について説明したが、白鍵に対応する部位を白色以外の明色で記すと共に、黒鍵に対応する部位を黒色以外の暗色で記してもよい。
【符号の説明】
【００５０】
１，１Ａ〜１Ｄ  コード構成音表示盤
２，２ｂ〜２ｄ  表示盤本体
３，３ａ〜３ｄ  スライド盤
１０，１５  離脱規制用係合溝
２１  第１鍵盤表示領域
２１ａ，２２ａ  白鍵表示
２１ｂ，２２ｂ  黒鍵表示
２２  第２鍵盤表示領域
２３  第１音階名表示領域
２４  第２音階名表示領域
３１  構成音表示領域
３２  コードネーム表示領域
３３  音程表示領域
３４  根音指定用孔
３４ａ  根音指定用切欠き部
３４ｂ，３４ｃ  根音指定マーク
３５ａ，３５ｂ  構成音表示用孔
【図１】
2011100039.tif 000003
【図２】
2011100039.tif 000004
【図３】
2011100039.tif 000005
【図４】
2011100039.tif 000006
【図５】
2011100039.tif 000007
【図６】
2011100039.tif 000008
【図７】
2011100039.tif 000009
【図８】
2011100039.tif 000010
【図９】
2011100039.tif 000011
【図１０】
2011100039.tif 000012